(57)【要約】【課題】無線で表示情報を受信する表示装置に対して、非接触給電にてより安定して電力を供給すること。【解決手段】送信装置は表示装置に対し、第一アンテナを介して無線で電力を伝送し、第二アンテナを介して表示情報を無線で送信する。表示部を備える表示装置は、第四アンテナを介して送信装置から表示情報を無線で受信し、受信された表示情報に応じて表示部の表示を制御し、第三アンテナを介して送信装置から電力の伝送を無線で受け、表示部等に電力を供給する。【選択図】図１
2013020059.tif 000002
【特許請求の範囲】
【請求項１】
送信装置と表示装置とを備える表示システムであって、
前記送信装置は、
第一アンテナと、
第二アンテナと、
前記第一アンテナを介して前記表示装置に無線で電力を伝送する給電部と、
前記第二アンテナを介して前記表示装置に表示情報を無線で送信する第一通信制御部と、
を備え、
前記表示装置は、
第三アンテナと、
第四アンテナと、
表示を行う表示部と、
前記第四アンテナを介して前記送信装置から表示情報を無線で受信する第二通信制御部と、
前記第二通信制御部によって受信された表示情報に応じて前記表示部の表示を制御する表示制御部と、
前記第三アンテナを介して前記送信装置から電力の伝送を無線で受け、前記表示部と前記第二通信制御部と前記表示制御部とに電力を供給する電力供給部と、
を備える、表示システム。
【請求項２】
前記第一アンテナから出力される電磁波の周波数と、前記第二アンテナから出力される電磁波の周波数とが異なる、請求項１に記載の表示システム。
【請求項３】
前記第一アンテナから出力される電磁波の周波数よりも、前記第二アンテナから出力される電磁波の周波数の方が高い、請求項２に記載の表示システム。
【請求項４】
前記送信装置は、前記第一通信制御部とは異なる通信方式で無線通信を行う第三通信制御部をさらに備え、
前記表示装置は、前記第二通信制御部とは異なる通信方式で無線通信を行う第四通信制御部をさらに備え、
前記第三通信制御部は、前記第四通信制御部から、前記表示装置に予め付与されている端末識別情報を受信する、請求項１〜３のいずれかに記載の表示システム。
【請求項５】
前記送信装置は、第五アンテナをさらに備え、
前記表示装置は、第六アンテナをさらに備え、
前記第三通信制御部は、前記第五アンテナを介して前記表示装置と無線通信を行い、
前記第四通信制御部は、前記第六アンテナを介して前記送信装置と無線通信を行う、請求項４に記載の表示システム。
【請求項６】
前記表示装置は、電力を蓄える蓄電部をさらに備え、
前記電力供給部は、前記第三アンテナを介して前記送信装置から受けた電力の一部又は全部を前記蓄電部に蓄えさせる、請求項１〜５のいずれかに記載の表示システム。
【請求項７】
表示情報に応じて表示を行う表示装置と無線通信する送信装置であって、
第一アンテナと、
第二アンテナと、
前記表示装置が動作するための電力を、前記第一アンテナを介して前記表示装置に無線で伝送する給電部と、
前記第二アンテナを介して前記表示装置に表示情報を無線で送信する第一通信制御部と、
を備える送信装置。
【請求項８】
第一アンテナを介して無線で電力を伝送し且つ第二アンテナを介して表示情報を無線で送信する送信装置と無線通信する表示装置であって、
第三アンテナと、
第四アンテナと、
表示を行う表示部と、
前記第四アンテナを介して前記送信装置から表示情報を無線で受信する通信制御部と、
前記通信制御部によって受信された表示情報に応じて前記表示部の表示を制御する表示制御部と、
前記第三アンテナを介して前記送信装置から電力の伝送を無線で受け、前記表示部と前記通信制御部と前記表示制御部とに電力を供給する電力供給部と、
を備える、表示装置。
【発明の詳細な説明】
【技術分野】
【０００１】
装置間において無線で情報の通信及び電力の伝送を行うための技術に関する。
【背景技術】
【０００２】
製造業をはじめとした各種産業分野において、個々のデバイスを識別する媒体として、かねてよりバーコードが用いられてきた。近年では、バーコードに代えて、無線通信によって個体識別を行うことも広まっている。このような無線通信の具体例として、ＲＦＩＤ（Radio Frequency Identification）がある。ただし、ＲＦＩＤを用いた場合には、個々のデバイス（この場合はＩＣタグ）に対して無線通信により記録を行うことも可能であるが、記録された情報を人間が参照するためには、記録された情報を読み出す専用の装置が必要となってしまう。
【０００３】
専用の装置を用いることなく人間が情報を参照できるようにするため、リライトペーパー、薄型ディスプレイ、電子ペーパーなどの表示装置を用いる技術も提案されている。このような技術では、例えば製品の製造状況などのように人間が参照する必要のある情報を無線で表示装置に送信し、表示装置において情報を表示する。このような表示装置の動作には電力が必要となるが、非接触給電技術を適用することによって電力も無線で供給する技術も提案されている（特許文献１参照）。
【先行技術文献】
【特許文献】
【０００４】
【特許文献１】特開２００３−２１６１１１号公報
【発明の概要】
【発明が解決しようとする課題】
【０００５】
しかしながら、特許文献１に記載されたように非接触給電技術を適用した場合、表示装置に対して電力を安定して供給することが難しいという問題があった。
上記事情に鑑み、本発明は、無線で表示情報を受信する表示装置に対して、非接触給電にてより安定して電力を供給するための技術の提供を目的としている。
【課題を解決するための手段】
【０００６】
本発明の一態様は、送信装置と表示装置とを備える表示システムであって、前記送信装置は、第一アンテナと、第二アンテナと、前記第一アンテナを介して前記表示装置に無線で電力を伝送する給電部と、前記第二アンテナを介して前記表示装置に表示情報を無線で送信する第一通信制御部と、を備え、前記表示装置は、第三アンテナと、第四アンテナと、表示を行う表示部と、前記第四アンテナを介して前記送信装置から表示情報を無線で受信する第二通信制御部と、前記第二通信制御部によって受信された表示情報に応じて前記表示部の表示を制御する表示制御部と、前記第三アンテナを介して前記送信装置から電力の伝送を無線で受け、前記表示部と前記第二通信制御部と前記表示制御部とに電力を供給する電力供給部と、を備える。
【０００７】
本発明の一態様は、上記の表示システムであって、前記第一アンテナから出力される電磁波の周波数と、前記第二アンテナから出力される電磁波の周波数とが異なる。
【０００８】
本発明の一態様は、上記の表示システムであって、前記第一アンテナから出力される電磁波の周波数よりも、前記第二アンテナから出力される電磁波の周波数の方が高い。
【０００９】
本発明の一態様は、上記の表示システムであって、前記送信装置は、前記第一通信制御部とは異なる通信方式で無線通信を行う第三通信制御部をさらに備え、前記表示装置は、前記第二通信制御部とは異なる通信方式で無線通信を行う第四通信制御部をさらに備え、前記第三通信制御部は、前記第四通信制御部から、前記表示装置に予め付与されている端末識別情報を受信する。
【００１０】
本発明の一態様は、上記の表示システムであって、前記送信装置は、第五アンテナをさらに備え、前記表示装置は、第六アンテナをさらに備え、前記第三通信制御部は、前記第五アンテナを介して前記表示装置と無線通信を行い、前記第四通信制御部は、前記第六アンテナを介して前記送信装置と無線通信を行う。
【００１１】
本発明の一態様は、上記の表示システムであって、前記表示装置は、電力を蓄える蓄電部をさらに備え、前記電力供給部は、前記第三アンテナを介して前記送信装置から受けた電力の一部又は全部を前記蓄電部に蓄えさせる。
【００１２】
本発明の一態様は、表示情報に応じて表示を行う表示装置と無線通信する送信装置であって、第一アンテナと、第二アンテナと、前記表示装置が動作するための電力を、前記第一アンテナを介して前記表示装置に無線で伝送する給電部と、前記第二アンテナを介して前記表示装置に表示情報を無線で送信する第一通信制御部と、を備える。
【００１３】
本発明の一態様は、第一アンテナを介して無線で電力を伝送し且つ第二アンテナを介して表示情報を無線で送信する送信装置と無線通信する表示装置であって、第三アンテナと、第四アンテナと、表示を行う表示部と、前記第四アンテナを介して前記送信装置から表示情報を無線で受信する通信制御部と、前記通信制御部によって受信された表示情報に応じて前記表示部の表示を制御する表示制御部と、前記第三アンテナを介して前記送信装置から電力の伝送を無線で受け、前記表示部と前記通信制御部と前記表示制御部とに電力を供給する電力供給部と、を備える。
【発明の効果】
【００１４】
本発明により、無線で表示情報を受信する表示装置に対して、非接触給電にてより安定して電力を供給することが可能となる。
【図面の簡単な説明】
【００１５】
【図１】表示システムの第一実施形態のシステム構成を表すシステム構成図である。
【図２】表示システムの第一実施形態の動作の流れを表すシーケンス図である。
【図３】表示システムの第二実施形態のシステム構成を表すシステム構成図である。
【図４】表示データテーブルの概略を示す図である。
【図５】表示システムの第三実施形態のシステム構成を表すシステム構成図である。
【図６】表示システムの第四実施形態のシステム構成を表すシステム構成図である。
【図７】表示システムの第四実施形態の動作の流れを表すシーケンス図である。
【図８】表示システムの第五実施形態のシステム構成を表すシステム構成図である。
【図９】表示システムの第六実施形態のシステム構成を表すシステム構成図である。
【図１０】表示システムの第六実施形態の動作の流れを表すシーケンス図である。
【図１１】上記の表示システムを適用した工程管理システム２００の概略を示す図である。
【図１２】工程管理システム２００における通信の流れの例を表すシーケンス図である。
【図１３】工程管理システム２００において表示装置２０ｅの表示部２０６に表示される画面の例を表す図である。
【図１４】工程管理システム２００において表示装置２０ｅの表示部２０６に表示される画面の例を表す図である。
【発明を実施するための形態】
【００１６】
［概略］
本発明の表示システムは、送信装置及び表示装置を備える。送信装置及び表示装置は、それぞれ複数のアンテナを備える。送信装置は、一のアンテナを用いて表示装置に対して電力を無線で伝送し、他のアンテナを用いて表示装置に対してデータを送信する。表示装置は、一のアンテナを用いて表示装置から電力を受け、受けた電力で動作する。表示装置はさらに、他のアンテナを用いて送信装置からデータを受信する。表示システムでは、このように電力を伝送するためのアンテナと、データを送受信するためのアンテナとがそれぞれ独立に設けられる。そのため、無線でデータを受信する表示装置に対して、非接触給電にてより安定して電力を供給することが可能となる。
【００１７】
送信装置から送信されるデータの具体例として、表示情報がある。表示情報は、表示装置に表示される表示内容を表す情報である。表示情報は、表示装置に表示される画像のデータ（以下、「表示データ」という。）そのものであっても良いし、表示データを示す識別情報（以下、「表示識別情報」という。）であっても良いし、表示装置に表示される文字を表す文字列データであっても良いし、表示データの内容を表す独自のフォーマットのデータであっても良いし、その他の形態のデータであっても良い。表示内容は、送信装置が決定しても良いし、送信装置に接続された外部の装置（例えば後述する管理サーバ５０）が決定しても良い。
表示装置は、送信装置から伝送された電力で、送信装置から送信された表示情報に基づいた表示を行う。
以下、表示システムの複数の実施形態について説明する。
【００１８】
［第一実施形態］
図１は、表示システムの第一実施形態（表示システム１００）のシステム構成を表すシステム構成図である。表示システム１００は、送信装置１０及び表示装置２０を備える。
送信装置１０は、バスで接続されたＣＰＵ（Central Processing Unit）やメモリや補助記憶装置などを備える。送信装置１０は、送信プログラムを実行することによって、第一アンテナ１０１、第二アンテナ１０２、給電部１０３、表示情報生成部１０４、第一通信制御部１０５を備える装置として機能する。なお、送信装置１０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。送信プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。
【００１９】
第一アンテナ１０１は、非接触給電を行うためのアンテナであり、表示装置２０の第三アンテナ２０１に対して電力を伝送する。第一アンテナ１０１の具体的な構造は、表示システム１００に適用される非接触給電の方式などに応じて適宜設計される。表示システム１００に適用される非接触給電の方式の具体例としては、電磁誘導方式、電波方式、電磁界共鳴方式などがある。第一アンテナ１０１は、例えば非接触給電の方式として電磁誘導方式が適用される場合には、この方式に適したループアンテナとして構成されても良い。
【００２０】
第二アンテナ１０２は、データを送受信するためのアンテナである。第二アンテナ１０２は、例えば表示装置２０の第四アンテナ２０２に対してデータを無線で送信する。第二アンテナ１０２の具体的な構造は、表示システム１００に適用される無線通信方式に応じて適宜設計される。表示システム１００に適用される無線通信方式の具体例としては、ＩＥＥＥ８０２．１５．４に準拠した通信方式や、Ｂｌｕｅｔｏｏｔｈ（登録商標）や、ＲＦＩＤ（Radio Frequency Identification）などがある。第二アンテナ１０２は、例えば無線通信方式としてＩＥＥＥ８０２．１５．４に準拠した通信方式が適用された場合には、この方式に適したダイポールアンテナ等のようにＵＨＦ（Ultra High Frequency：極超短波）帯の通信に適したアンテナとして構成されても良い。
【００２１】
給電部１０３は、電源を備えており、第一アンテナ１０１を介して表示装置２０に対して非接触で給電を行う。給電部１０３の具体的な構成は、表示システム１００に適用される非接触給電の方式などに応じて適宜設計される。
表示情報生成部１０４は、表示装置２０の表示部２０６における表示内容を表す表示情報を生成し第一通信制御部１０５に出力する。表示情報生成部１０４が生成する表示情報は、表示装置２０によって表示される画像のデータ（表示データ）である。表示データは、圧縮されていても良いし圧縮されていなくても良い。表示情報を生成する際、表示情報生成部１０４は、予め定められているフォーマットやプロトコルに従って表示情報を生成する。
【００２２】
第一通信制御部１０５は、送信対象のデータを変調して無線信号を生成し、第二アンテナ１０２を介して無線信号を送信する。送信されるデータの具体例として、表示情報生成部１０４によって生成された表示情報がある。第一通信制御部１０５の具体的な構成は、表示システム１００に適用される無線通信方式に応じて適宜設計される。
【００２３】
表示装置２０は、バスで接続されたＣＰＵやメモリや補助記憶装置などを備える。表示装置２０は、表示プログラムを実行することによって、第三アンテナ２０１、第四アンテナ２０２、電力供給部２０３、第二通信制御部２０４、表示制御部２０５、表示部２０６を備える装置として機能する。なお、表示装置２０の各機能の全て又は一部は、ＡＳＩＣやＰＬＤやＦＰＧＡ等のハードウェアを用いて実現されても良い。表示プログラムは、コンピュータ読み取り可能な記録媒体に記録されても良い。
【００２４】
第三アンテナ２０１は、非接触給電を行うためのアンテナであり、送信装置１０の第一アンテナ１０１から伝送された電力を受ける。第三アンテナ２０１の具体的な構造は、表示システム１００に適用される非接触給電の方式などに応じて適宜設計される。第三アンテナ２０１は、例えば非接触給電の方式として電磁誘導方式が適用される場合には、この方式に適したループアンテナとして構成されても良い。
【００２５】
第四アンテナ２０２は、データを送受信するためのアンテナである。第四アンテナ２０２は、例えば送信装置１０の第二アンテナ１０２から送信された無線信号を受信する。第四アンテナ２０２の具体的な構造は、表示システム１００に適用される無線通信方式に応じて適宜設計される。第四アンテナ２０２は、例えば無線通信方式としてＩＥＥＥ８０２．１５．４に準拠した通信方式が適用された場合には、この方式に適したダイポールアンテナ等のようにＵＨＦ帯の通信に適したアンテナとして構成されても良い。
【００２６】
電力供給部２０３は、第三アンテナ２０１を介して送信装置１０から受けた電力を、表示装置２０の各機能に対して供給する。電力供給部２０３の具体的な構成は、表示システム１００に適用される非接触給電の方式などに応じて適宜設計される。
第二通信制御部２０４は、第四アンテナ２０２によって受信された無線信号を復調し、送信装置１０から送信されたデータを復元する。復元されるデータの具体例として表示情報がある。第二通信制御部２０４は、受信した表示情報を表示制御部２０５に出力する。第二通信制御部２０４の具体的な構成は、表示システム１００に適用される無線通信方式に応じて適宜設計される。
【００２７】
表示制御部２０５は、送信装置１０から受信された表示情報に従って表示部２０６に表示される内容を制御する。
表示部２０６は、表示の維持に電力を要しない表示デバイスを用いて構成される。このような表示デバイスの具体例として、電子ペーパーがある。表示部２０６に適用される電子ペーパーの方式は、マイクロカプセル方式、電子粉流体方式、液晶方式、エレクトロウェッティング方式、電気泳動方式、化学変化方式などどのような方式であっても良い。表示部２０６は、表示制御部２０５ａによって表示内容の更新を指示されると、電力供給部２０３によって供給される電力を用いて表示内容の更新処理を行う。
【００２８】
図２は、表示システムの第一実施形態（表示システム１００）の動作の流れを表すシーケンス図である。まず、送信装置１０の給電部１０３が、第一アンテナ１０１を介して電力の伝送を開始する（ステップＳ１１）。表示装置２０の電力供給部２０３は、第三アンテナ２０１を介して電力の伝送を受け、表示装置２０に対する電力の供給を開始する（ステップＳ２１）。電力供給部２０３は、特に第二通信制御部２０４、表示制御部２０５、表示部２０６に対して電力の供給を行う。
【００２９】
送信装置１０の表示情報生成部１０４は、表示情報を生成する（ステップＳ１２）。第一通信制御部１０５は、表示情報に対して符号化処理や変調処理を行うことによって無線信号を生成し、第二アンテナ１０２から送信する（ステップＳ１３）。表示装置２０の第二通信制御部２０４は、第四アンテナ２０２を介して無線信号を受信し、無線信号に対して復調処理や復号化処理を行うことによって表示情報を復元する（ステップＳ２２）。表示制御部２０５は、復元された表示情報に基づいて表示部２０６における表示内容の更新制御を行う（ステップＳ２３）。すなわち、表示制御部２０５は、受信された表示情報の表示データが表す画像を表示部２０６に表示させる。表示部２０６は、更新制御を受け、更新後の表示内容を表示する（ステップＳ２４）。
その後、送信装置１０の給電部１０３が、第一アンテナ１０１を介した電力の伝送を終了する（ステップＳ１４）。これに伴い、表示装置２０の電力供給部２０３は電力の供給を終了する（ステップＳ２５）。
【００３０】
このように構成された表示システムの第一実施形態（表示システム１００）では、表示装置２０は、送信装置１０から非接触給電で電力の供給を受ける。そのため、表示装置２０は、外部電源から電力の供給を受けるための電源ケーブルや、予め電力を蓄えている蓄電池等を備える必要が無い。したがって、表示装置２０の移動範囲を電源ケーブルに制限されることがなく、且つ、バッテリ交換を行う必要が無い。同様に、充電を行う期間、すなわち充電のために表示装置２０を使用できないという期間が無い。
【００３１】
表示システム１００では、送信装置１０が電力を伝送するためのアンテナ（第一アンテナ）と、送信装置１０が表示情報などのデータを送信するためのアンテナ（第二アンテナ）とは、それぞれ異なるアンテナとして設けられる。同様に、表示装置２０が電力の伝送を受けるためのアンテナ（第三アンテナ）と、表示装置２０が表示情報などのデータを受信するためのアンテナ（第四アンテナ）とは、それぞれ異なるアンテナとして設けられる。そのため、無線でデータを受信する表示装置２０に対して、非接触給電にてより安定して電力を供給することが可能となる。
【００３２】
より詳細に説明すると以下の通りである。送信装置１０及び表示装置２０において、電力伝送のためのアンテナ（第一アンテナ及び第三アンテナ）と、データ送受信のためのアンテナ（第二アンテナ及び第四アンテナ）とは、それぞれ異なるアンテナとして設けられている。そのため、電力伝送のために用いられる電磁波の周波数と、データ送受信のために用いられる電磁波の周波数とを、それぞれに適した周波数（互いに異なる周波数）に設定することが可能となる。例えば、第一アンテナから出力される電磁波の周波数よりも、第二アンテナから出力される周波数の方が高くなるように設定されても良い。このように設定されることによって、データ送受信を高速に行うことが可能となるとともに、電力伝送をより安定して行うことが可能となる。
さらに、各アンテナを、それぞれの周波数や方式に適した形状として設計することが可能となる。そのため、非接触による電力伝送をより安定して行うことが可能となる。同様に、データの送受信をより安定して行うことや、より広帯域で行うこと等が可能となる。
【００３３】
表示システム１００では、上述のように電力の伝送及びデータの送受信を無線で行うことが可能である。そのため、送信装置１０と表示装置２０との間で伝導体（例えば金属）の接点が必要無い。したがって、接点における摩耗が生じ得ず、表示装置２０の寿命を長くすることが可能であり、可用性を高めることが可能となる。
【００３４】
さらに、表示システム１００では以下のような従来の問題も解決できる。従来は、ユーザに対して伝達する情報を表示する手段として様々なものが用いられてきた。例えば、紙、リライトペーパー、薄型ディスプレイ等が用いられてきた。しかし、それぞれに以下のような問題があった。
【００３５】
紙の場合、一度表示した情報を書き換えるためには、表示された（記載された）情報を消しゴムなどで消し、そのうえで新たな情報を記載する必要がある。そのため、このような作業の自動化が困難であった。
リライトペーパーの場合、リライトプリンタのような専用の書き換え装置によって書き換えを行うことが出来る。しかし、書き換え可能な回数が数百回程度と限られているとともに、書き換え回数が増えると徐々に表示が薄くなったり表示が汚れてしまったり等の表示劣化が生じてしまう。また、表示の書き換え時には、接触書き換えを行う必要があるため、プリンタヘッドの清掃など、システムの頻繁なメンテナンスが必要となってしまっていた。
【００３６】
薄型ディスプレイの場合、書き換え可能な回数は多いものの、消費電力が大きく、電池で駆動させるためには頻繁に電池交換や充電などの作業が必要となる。また、表示画面を保持するためにも常に電力が消費されてしまうため、電力の供給が困難であった。
一方、上記の表示システム１００では表示装置として電子ペーパーのように書き換え回数が多く表示の維持に電力の消費を要しない表示デバイスが適用されている。そのため、上記のいずれの問題も解消することが可能である。
【００３７】
＜変形例＞
図２のシーケンス図では、送信装置１０の給電部１０３はステップＳ１１において電力の伝送を開始し、ステップＳ１４において電力の伝送を終了する。これらの処理の契機はどのように設定されても良い。例えば、送信装置１０にボタンなどの入力装置が備えられ、ユーザが入力装置を操作することが契機となって電力の伝送が開始・終了されても良い。例えば、表示装置２０が所定の箇所に配置された（例えば送信装置１０の上に配置された）ことが契機となって電力の伝送が開始されても良い。この場合、表示装置２０が所定の箇所から外された（例えば送信装置１０の上から外された）ことが契機となって電力の伝送が終了されても良い。表示装置２０の配置は、例えば上記所定の箇所に圧力センサを設置すること等によって検知されても良い。
【００３８】
図２のシーケンス図では、送信装置１０の給電部１０３はステップＳ１１において電力の伝送を開始し、ステップＳ１４において電力の伝送を終了する。しかし、送信装置１０の給電部１０３はステップＳ１１の処理及びステップＳ１４の処理を行うことなく、常に電力の伝送を行い続けるように構成されても良い。この場合、表示装置２０の電力供給部２０３は、給電部１０３から伝送される電力を受けることが可能な距離まで送信装置１０に近付くと、電力の伝送を受け、自装置（表示装置２０）の各機能に対する電力の供給を開始する（ステップＳ２１）。一方、表示装置２０の電力供給部２０３は、給電部１０３から伝送される電力を受けることが不可能な距離まで送信装置１０から離れると、自装置（表示装置２０）の各機能に対する電力の供給を終了する（ステップＳ２５）。
【００３９】
［第二実施形態］
図３は、表示システムの第二実施形態（表示システム１００ａ）のシステム構成を表すシステム構成図である。第一実施形態と同じ機能部には図３において図１と同じ符号を付して表し、その説明を省く。
表示システム１００ａは、送信装置１０ａ及び表示装置２０ａを備える。送信装置１０ａは、表示情報生成部１０４に代えて表示情報生成部１０４ａを備える点で第一実施形態の送信装置１０と異なり、他の構成は同じである。表示装置２０ａは、表示制御部２０５に代えて表示制御部２０５ａを備える点、表示データ記憶部２０７をさらに備える点で第一実施形態の表示装置２０と異なり、他の構成は同じである。
【００４０】
表示情報生成部１０４ａは、生成する表示情報が第一実施形態の表示情報生成部１０４と異なる。表示情報生成部１０４ａが生成する表示情報は、表示装置２０によって表示される画像のデータ（表示データ）を表す識別情報（表示識別情報）である。すなわち、表示情報生成部２０５ａは、決定された表示内容に応じて表示識別情報を選択することによって表示情報を生成する。
【００４１】
表示データ記憶部２０７は、磁気ハードディスクや半導体記憶装置などの記憶装置を用いて構成される。表示データ記憶部２０７は、表示データテーブルを記憶する。図４は、表示データテーブルの概略を示す図である。表示データテーブルは、表示識別情報と表示データとを対応付けたテーブルである。表示識別情報の項目には、表示識別情報が収められている。表示データの項目には、表示制御部２０５ａが表示データにアクセスするために必要となる情報が収められている。表示データの項目には、例えば表示データが記録されている記録領域のアドレスが収められていても良いし、表示データのファイル名が収められていても良いし、他の情報が収められていても良い。
【００４２】
表示制御部２０５ａは、送信装置１０ａから受信された表示情報（表示識別情報）に対応する表示データを、表示データ記憶部２０７において検索する。そして、表示制御部２０５ａは、検索結果として得られた表示データを表示部２０６に表示させる。
表示システム１００ａの動作の流れは図２に示された通りであるため、説明を省略する。
【００４３】
このように構成された表示システムの第二実施形態（表示システム１００ａ）では、送信装置１０ａから表示装置２０ａに対して、表示データではなく表示識別情報が送信される。そのため、画像のデータである表示データが送信される場合に比べて、送信されるデータの容量を小さくすることが可能となる。したがって、第一通信制御部１０５及び第二通信制御部２０４に適用される無線通信の部品をより安価なものにし、コストを下げることも可能となる。また、送信されるデータの容量が小さくなるため、通信を短時間で終えることが可能となる。また、第一通信制御部１０５が第二アンテナ１０２から表示情報を送信する際の電力を小さくし、消費電力を抑えることも可能となる。
【００４４】
＜変形例＞
第一実施形態及び第二実施形態において、表示情報の具体例として表示データが用いられる場合のシステム構成と、表示識別情報が用いられる場合のシステム構成とを説明した。しかしながら、上述のように表示情報の具体例はこの二つに限定されない。したがって、第一実施形態（表示システム１００）又は第二実施形態（表示システム）を変形することによって、他の形態の表示情報が送受信されても良い。
表示システム１００ａは、第一実施形態（表示システム１００）と同様に変形して構成されても良い。
【００４５】
［第三実施形態］
図５は、表示システムの第三実施形態（表示システム１００ｂ）のシステム構成を表すシステム構成図である。第一実施形態と同じ機能部には図５において図１と同じ符号を付して表し、その説明を省く。
表示システム１００ｂは、送信装置１０及び表示装置２０ｂを備える。表示装置２０ｂは、電力供給部２０３に代えて電力供給部２０３ｂを備える点、蓄電部２０３１をさらに備える点で第一実施形態の表示装置２０と異なり、他の構成は同じである。
【００４６】
蓄電部２０３１は、電力供給部２０３ｂが送信装置１０から受けた電力の一部又は全部を蓄電する。蓄電部２０３１に蓄電された電力は、電力供給部２０３ｂの制御に応じて表示装置２０ｂの各機能部に供給される。
電力供給部２０３ｂは、第四アンテナ２０２を介して送信装置１０から受けた電力のうち、表示装置２０の各機能に対して必要な電力を供給した上で余った分を蓄電部２０３１に蓄電させる。電力供給部２０３ｂは、表示装置２０の各機能に対して電力を供給する必要があるにもかかわらず送信装置１０から電力の伝送を受けていない場合に、蓄電部２０３１に蓄積された電力を放電することによって各機能に対し電力を供給する。
表示システム１００ｂの動作の流れは図２に示された通りであるため、説明を省略する。
【００４７】
このように構成された表示システムの第三実施形態（表示システム１００ｂ）では、障害の発生などによって送信装置１０が電力の伝送を行うことが出来ない場合電力供給部２０３ｂが電力の伝送を受けることが出来ない場合であっても、電力供給部２０３ｂは蓄電部２０３１に蓄積された電力を供給できる。そのため、表示装置２０ｂの可用性を向上させることが可能となる。
【００４８】
このように構成された表示システムの第三実施形態（表示システム１００ｂ）では、表示部２０６において、表示の維持に多少の電力を要する表示デバイスを用いることが可能となる。すなわち、蓄電部２０３１に蓄積された電力によって表示を維持できる表示デバイスであれば、表示部２０６に適用することが可能となる。そのため、表示部２０６に適用できる表示デバイスの選択肢が拡がる。
【００４９】
＜変形例＞
電力供給部２０３ｂは、送信装置１０から受けた電力の全てを一度蓄電部２０３１に蓄電し、それから各機能部に電力を供給するように構成されても良い。
表示システム１００ｂは、第一実施形態（表示システム１００）や第二実施形態（表示システム１００ａ）と同様に変形して構成されても良い。また、表示システム１００ｂは、第二実施形態（表示システム１００ａ）の機能部と組み合わせて構成されても良い。
【００５０】
［第四実施形態］
図６は、表示システムの第四実施形態（表示システム１００ｃ）のシステム構成を表すシステム構成図である。第一実施形態と同じ機能部には図６において図１と同じ符号を付して表し、その説明を省く。
表示システム１００ｃは、送信装置１０ｃ及び表示装置２０ｃを備える。送信装置１０ｃは、第二アンテナ１０２に代えて第二アンテナ１０２ｃを備える点、第三通信制御部１０６及び第一識別情報処理部１０７をさらに備える点で第一実施形態の送信装置１０と異なり、他の構成は同じである。表示装置２０ｃは、第四アンテナ２０２に代えて第四アンテナ２０２ｃを備える点、第四通信制御部２０８及び第二識別情報処理部２０９をさらに備える点で第一実施形態の表示装置２０と異なり、他の構成は同じである。
【００５１】
第二アンテナ１０２ｃは、第一通信制御部１０５から出力される信号を送信するのみならず、第三通信制御部１０６から出力される信号も送信する。また、第二アンテナ１０２ｃは、表示装置２０ｃから送信された信号を受信し、第三通信制御部１０６に受信した信号を出力する。このように、第二アンテナ１０２ｃは、複数（図６では二つ）の異なる方式の無線通信に用いられる。
【００５２】
第三通信制御部１０６は、第一通信制御部１０５とは異なる通信方式で無線通信を行う。第三通信制御部１０６は、表示装置２０ｃの第四通信制御部２０８との間で無線通信を行い、表示装置２０ｃに割り当てられている端末識別情報を受信する。第三通信制御部１０６には、例えばＲＦＩＤの読取デバイスが適用されても良い。この場合、第三通信制御部１０６は、ＲＦＩＤのプロトコルに従って動作し、第二アンテナ１０２ｃを介して表示装置２０ｃから信号を受信する。第三通信制御部１０６は、受信した信号を復調し、表示装置２０ｃから送信されたデータを復元する。第三通信制御部１０６は、復元したデータを第一識別情報処理部１０７に出力する。
【００５３】
第一識別情報処理部１０７は、第三通信制御部１０６によって受信されたデータから端末識別情報を抽出し、所定の処理を行う。例えば、第一識別情報処理部１０７は、端末識別情報を抽出すると、抽出された端末識別情報と自装置（送信装置１０ｃ）に予め割り当てられている送信装置識別情報とを所定の外部装置に対して送信する。
第四アンテナ２０２ｃは、送信装置１０ｃの第一通信制御部１０５の制御によって第二アンテナ１０２ｃから送信される信号を受信するのみならず、第三通信制御部１０６の制御によって第二アンテナ１０２ｃから送信される信号も受信する。さらに、第四アンテナ２０２ｃは、第四通信制御部２０８から出力される信号を送信する。このように、第四アンテナ２０２ｃは、複数（図６では二つ）の異なる方式の無線通信に用いられる。
【００５４】
第四通信制御部２０８は、第二通信制御部２０４とは異なる通信方式で無線通信を行う。第四通信制御部２０８は、送信装置１０ｃの第三通信制御部１０６との間で無線通信を行い、自装置（表示装置２０ｃ）に割り当てられている端末識別情報を送信する。第四通信制御部２０８には、ＲＦＩＤのＩＣタグが適用されても良い。この場合、第四通信制御部２０８は、ＲＦＩＤのプロトコルに従って動作し、第二識別情報処理部２０９から出力される送信用のデータを変調し送信する。
第二識別情報処理部２０９は、端末識別情報を予め記憶している。第二識別情報処理部２０９は、端末識別情報を含む送信用のデータを生成し、第四通信制御部２０８に対して出力する。
【００５５】
図７は、表示システムの第四実施形態（表示システム１００ｃ）の動作の流れを表すシーケンス図である。図７において、第一実施形態（表示システム１００）と同じ処理については図２と同じ符号を付している。第一実施形態と同じ処理についての説明は省略する。
【００５６】
送信装置１０ｃの第三通信制御部１０６は、リクエスト信号を送信する（ステップＳ１５）。表示装置２０ｃの第四通信制御部２０８は、リクエスト信号を受信すると（ステップＳ２６）、受信したリクエスト信号を復調し第二識別情報処理部２０９に出力する。第二識別情報処理部２０９は、リクエスト信号の受信に応じて、自装置の端末識別情報を含む送信用のデータを生成し、第四通信制御部２０８に出力する。第四通信制御部２０８は、送信用のデータを変調し送信する（ステップＳ２７）。送信装置１０ｃの第三通信制御部１０６は、表示装置２０ｃから信号を受信すると（ステップＳ１６）、受信した信号を復調し、復元したデータを第一識別情報処理部１０７へ出力する。第一識別情報処理部１０７は、復元されたデータから端末識別情報を抽出し、端末識別情報と送信装置識別情報とを出力する（ステップＳ１７）。
【００５７】
このように構成された表示システムの第四実施形態（表示システム１００ｃ）では、第三通信制御部１０６及び第四通信制御部２０８との間で、第一通信制御部１０５及び第二通信制御部２０４との間で行われる無線通信とは異なる方式で無線通信が行われる。具体的には、表示装置２０ｃに割り当てられている端末識別情報が送信装置１０ｃに対して送信される。そのため、送信装置１０ｃにおいて表示情報の送信先となった表示装置２０ｃを管理することが容易となる。
【００５８】
＜変形例＞
図７において、ステップＳ１２，Ｓ１３，Ｓ２２〜Ｓ２４の一連の処理と、ステップＳ１５，Ｓ２６，Ｓ２７，Ｓ１６，Ｓ１７の一連の処理とは、実行される順序が入れ替わっても良いし、一部又は全部が並行して実行されても良い。
表示システム１００ｃは、第一実施形態（表示システム１００）〜第三実施形態（表示システム１００ｂ）と同様に変形して構成されても良い。また、表示システム１００ｃは、第二実施形態（表示システム１００ａ）や第三実施形態（表示システム１００ｂ）の機能部と組み合わせて構成されても良い。
【００５９】
［第五実施形態］
図８は、表示システムの第五実施形態（表示システム１００ｄ）のシステム構成を表すシステム構成図である。第四実施形態と同じ機能部には図８において図６と同じ符号を付して表し、その説明を省く。
表示システム１００ｄは、送信装置１０ｄ及び表示装置２０ｄを備える。送信装置１０ｄは、第二アンテナ１０２ｃに代えて第二アンテナ１０２を備える点、第三通信制御部１０６に代えて第三通信制御部１０６ｄを備える点、第五アンテナ１０８をさらに備える点で第四実施形態の送信装置１０ｃと異なり、他の構成は同じである。表示装置２０ｄは、第四アンテナ２０２ｃに代えて第四アンテナ２０２を備える点、第四通信制御部２０８に代えて第四通信制御部２０８ｄを備える点、第六アンテナ２１０をさらに備える点で第四実施形態の表示装置２０ｃと異なり、他の構成は同じである。
【００６０】
第三通信制御部１０６ｄは、第五アンテナ１０８を介して通信を行う点で第四実施形態の第三通信制御部１０６と異なり、他の構成は同じである。
第五アンテナ１０８は、データを送受信するためのアンテナである。第五アンテナ１０８は、例えば表示装置２０ｄの第六アンテナ２１０との間でデータを無線通信する。第五アンテナ１０８の具体的な構造は、表示システム１００ｄに適用される無線通信方式に応じて適宜設計される。ただし、第五アンテナ１０８を介して行われる無線通信の方式は、第二アンテナ１０２を介して行われる無線通信の方式とは異なる。以下の説明では、第五アンテナ１０８を介して行われる無線通信の方式は、ＲＦＩＤに従った通信方式である。この場合、第五アンテナ１０８は、例えばＩＳＯ１５６９３に準拠したＩＣタグのアンテナとして構成されても良い。
【００６１】
第四通信制御部２０８ｄは、第六アンテナ２１０を介して通信を行う点で、第四実施形態の第四通信制御部２０８と異なり、他の構成は同じである。
第六アンテナ２１０は、データを送受信するためのアンテナである。第六アンテナ２１０は、例えば送信装置１０ｄの第五アンテナ１０８との間でデータを無線通信する。第六アンテナ２１０の具体的な構造は、表示システム１００ｄに適用される無線通信方式に応じて適宜設計される。ただし、第六アンテナ２１０を介して行われる無線通信の方式は、第四アンテナ２０２を介して行われる無線通信の方式とは異なる。以下の説明では、第六アンテナ２１０を介して行われる無線通信の方式は、ＲＦＩＤに従った通信方式である。この場合、第六アンテナ２１０は、例えばＩＳＯ１５６９３に準拠したＩＣタグのアンテナとして構成されても良い。
表示システム１００ｄの動作の流れは図７に示された通りであるため、説明を省略する。
【００６２】
このように構成された表示システムの第五実施形態（表示システム１００ｄ）では、第三通信制御部１０６ｄ及び第四通信制御部２０８ｄとの間で行われる無線通信は、第一通信制御部１０５及び第二通信制御部２０４との間で行われる無線通信で使用されるアンテナ（第二アンテナ１０２及び第四アンテナ２０２）とは異なるアンテナ（第五アンテナ１０８及び第六アンテナ２１０）を用いて行われる。そのため、第一通信制御部１０５及び第二通信制御部２０４との間の無線通信で用いられる電磁波の周波数と、第三通信制御部１０６ｄ及び第四通信制御部２０８ｄとの間の無線通信で用いられる電磁波の周波数とを、それぞれに適した周波数（互いに異なる周波数）に設定することが可能となる。さらに、各アンテナを、それぞれの周波数や方式に適した形状として設計することが可能となる。そのため、それぞれの無線通信をより安定して行うことや、より広帯域で行うこと等が可能となる。
【００６３】
＜変形例＞
表示システム１００ｄは、第一実施形態（表示システム１００）〜第四実施形態（表示システム１００ｃ）と同様に変形して構成されても良い。また、表示システム１００ｄは、第二実施形態（表示システム１００ａ）〜第四実施形態（表示システム１００ｃ）の機能部と組み合わせて構成されても良い。
【００６４】
［第六実施形態］
図９は、表示システムの第六実施形態（表示システム１００ｅ）のシステム構成を表すシステム構成図である。第五実施形態と同じ機能部には図９において図８と同じ符号を付して表し、その説明を省く。
表示システム１００ｅは、送信装置１０ｅ及び表示装置２０ｅを備える。送信装置１０ｅは、第一通信制御部１０５に代えて第一通信制御部１０５ｅを備える点、第一非表示情報処理部１０９をさらに備える点で第五実施形態の送信装置１０ｄと異なり、他の構成は同じである。表示装置２０ｅは、第二通信制御部２０４に代えて第二通信制御部２０４ｅを備える点、第二非表示情報処理部２１１及び非表示情報記憶部２１２をさらに備える点で第五実施形態の表示装置２０ｄと異なり、他の構成は同じである。
【００６５】
第一非表示情報処理部１０９は、表示装置２０ｅにおける表示の制御には用いられない情報（以下、「非表示情報」という。）を生成し、第一通信制御部１０５ｅに出力する。非表示情報に含まれる情報は、送信装置１０ｅの機能部が決定しても良いし、送信装置１０ｅに接続された外部の装置（例えば後述する管理サーバ５０）が決定しても良い。また、第一非表示情報処理部１０９は、表示の内容を表す情報等に基づいて非表示情報を生成しても良い。
第一通信制御部１０５ｅは、表示情報生成部１０４から出力される表示情報のみならず、第一非表示情報処理部１０９から出力される非表示情報も第二アンテナ１０２を介して送信する。第一通信制御部１０５ｅは、表示情報及び非表示情報を同じプロトコルで送信する。
【００６６】
第二通信制御部２０４ｅは、表示情報のみならず非表示情報も第四アンテナ２０２を介して受信する。第二通信制御部２０４ｅは、受信した表示情報を表示制御部２０５に出力し、受信した非表示情報を第二非表示情報処理部２１１に出力する。
第二非表示情報処理部２１１は、受信した非表示情報に関する処理を行う。例えば、第二非表示情報処理部２１１は、受信した非表示情報を非表示情報記憶部２１２に書き込む。
【００６７】
非表示情報記憶部２１２は、磁気ハードディスク装置や半導体記憶装置などの記憶装置を用いて構成される。非表示情報記憶部２１２は、第二非表示情報処理部２１１によって書き込まれる非表示情報を記憶する。
【００６８】
図１０は、表示システムの第六実施形態（表示システム１００ｅ）の動作の流れを表すシーケンス図である。図１０において、第四実施形態（表示システム１００ｃ）と同じ処理については図７と同じ符号を付している。第四実施形態と同じ処理についての説明は省略する。
【００６９】
送信装置１０ｅの第一非表示情報処理部１０９は非表示情報を生成する（ステップＳ１８）。第一通信制御部１０５ｅは、非表示情報に対して符号化処理や変調処理を行うことによって無線信号を生成し、第二アンテナ１０２から送信する（ステップＳ１９）。表示装置２０ｅの第二通信制御部２０４ｅは、第四アンテナ２０２を介して無線信号を受信し、無線信号に対して復調処理や復号化処理を行うことによって非表示情報を復元する（ステップＳ２８）。第二非表示制御部２１１は、復元された非表示情報を非表示情報記憶部２１２に記録する（ステップＳ２９）。
【００７０】
このように構成された表示システムの第六実施形態（表示システム１００ｅ）では、送信装置１０ｅから第一通信制御部１０５ｅによって非表示情報を表示装置２０ｅへ送信し記録させることが可能となる。例えば、表示装置２０ｅの表示部２０６に表示される情報と同等の情報を非表示情報として非表示情報記憶部２１２に記録させ、表示内容と記録されている内容との同期をとることも可能となる。
【００７１】
＜変形例＞
図１０において、ステップ１２，Ｓ１３，Ｓ２２〜Ｓ２４の一連の処理と、ステップＳ１８，Ｓ１９，Ｓ２８，Ｓ２９の一連の処理とは、実行される順序が入れ替わっても良い。また、表示情報と非表示情報とは並行して通信されても良い。ステップ１５，Ｓ２６，Ｓ２７，Ｓ１６，Ｓ１７の一連の処理と、ステップＳ１８，Ｓ１９，Ｓ２８，Ｓ２９の一連の処理とは、実行される順序が入れ替わっても良い。
表示システム１００ｅは、第一実施形態（表示システム１００）〜第五実施形態（表示システム１００ｄ）と同様に変形して構成されても良い。また、表示システム１００ｅは、第二実施形態（表示システム１００ａ）〜第五実施形態（表示システム１００ｄ）の機能部と組み合わせて構成されても良い。
【００７２】
［適用例］
図１１は、上記の表示システムを適用した工程管理システム２００の概略を示す図である。なお、以下の説明では、上記の表示システムのうち、第六実施形態（表示システム１００ｅ）が適用された場合の工程管理システム２００について説明する。
工程管理システム２００では、管理サーバ５０が設置されている。管理サーバ５０は、工程管理システム２００において管理の対象となっている製造品の製造工程に関する情報を収集する。
【００７３】
工程管理システム２００では、工程ラインに沿って移動するベルトコンベア３０が設置されており、ベルトコンベア３０の上には間隔をおいて製造品４０が配置されている。製造品４０は、工程管理システム２００において製造されている製品の製造過程の物である。製造品４０とともに、表示装置２０ｅがベルトコンベア３０上に配置される。図１１の例では、製造品４０の上面に表示装置２０ｅが配置されている。製造品４０と表示装置２０ｅとが対応付けられて配置されれば、必ずしも図１１のように配置される必要は無い。また、複数の製造品４０に対して一台の表示装置２０ｅが対応付けられて配置されても良い。管理サーバ５０には、表示装置２０ｅの端末識別情報と製造品４０に関する情報とが予め対応付けて登録されている。
【００７４】
ベルトコンベア３０に沿って、複数の工程それぞれを行う複数の作業場が設けられている。各工程の作業場には、送信装置１０ｅが設置されている。各送信装置１０ｅには、自身が設置された作業場で行われる工程を表す識別情報（以下、「工程識別情報」という。）が設定されている。工程識別情報として、送信装置１０ｅに対して予め設定されている送信装置識別情報が用いられても良い。各作業場で作業を行う者（以下、「作業者」という。）は、ベルトコンベア３０で流れてきた製造品４０に対しその作業場に割り当てられた工程の作業を行う。作業者は、作業を終えた製造品４０に対応付けられている表示装置２０ｅと、その作業場に設置された送信装置１０ｅとを通信させる。例えば、作業者が送信装置１０ｅの上面に表示装置２０ｅを置くことによって、送信装置１０ｅと表示装置２０ｅとの通信が行われても良い。
【００７５】
図１２は、工程管理システム２００における通信の流れの例を表すシーケンス図である。なお、図１２には通信の流れを示すため、電力の伝送については図示を省略する。送信装置１０ｅの第三通信制御部１０６ｄは、継続的にリクエスト信号を送信する（ステップＳ２０１）。表示装置２０ｅの第四通信制御部２０８ｄはリクエスト信号を受信すると（ステップＳ３０１）、第二識別情報処理部２０９によって生成された端末識別情報を含む送信用のデータを送信する（ステップＳ３０２）。送信装置１０ｅの第三通信制御部１０６ｄは端末識別情報を含む送信用のデータの信号を受信する（ステップＳ２０２）。第一識別情報処理部１０７は、受信した端末識別情報と、自装置に割り当てられている工程識別情報とを管理サーバ５０へ送信する（ステップＳ２０３）。管理サーバ５０は、送信装置１０ｅから受信した端末識別情報及び工程識別情報を、工程の情報を表すログとして記録する（ステップＳ１０２）。
【００７６】
管理サーバ５０は、ログを記録した後、受信確認情報を送信装置１０ｅに送信する（ステップＳ１０３）。受信確認情報は、管理サーバ５０が送信装置１０ｅから端末識別情報及び工程識別情報を無事に受信し記録し終えたことを表す情報である。第一識別情報処理部１０７は、管理サーバ５０から受信確認情報を受信すると（ステップＳ２０４）、第一非表示情報処理部１０９及び表示情報生成部１０４にその旨を通知する。
【００７７】
管理サーバ５０から受信確認情報が受信されると（ステップＳ２０４）、送信装置１０ｅの第一非表示情報処理部１０９は工程管理情報を生成する。そして、第一通信制御部１０５ｅは第二アンテナ１０２を介して工程管理情報のデータを送信する（ステップＳ２０５）。工程管理情報とは、非表示情報の一例であり、表示装置２０ｅに対応付けられている製造品４０の工程に関する情報である。工程管理情報は、例えば製造品４０の商品名、ロット番号、最後に作業が行われた日時、実施された作業の工程、等を表す。最後に作業が行われた日時の具体的な値は、例えばステップＳ２０２の処理が行われた日時でも良いし、ステップＳ２０３の処理が行われた日時でも良いし、ステップＳ１０１の処理が行われた日時でも良いし、工程管理システム２００において許容できる日時であればその他の日時であっても良い。表示装置２０ｅの第二通信制御部２０４ｅは、工程管理情報を受信すると（ステップＳ３０３）、第二非表示情報処理部２１１に出力する。第二非表示情報処理部２１１は、受信された工程管理情報を非表示情報記憶部２１２に記録する（ステップＳ３０４）。
【００７８】
管理サーバ５０からの受信確認情報の受信に応じて、送信装置１０ｅの表示情報生成部１０４は工程管理表示情報を生成する。そして、第一通信制御部１０５ｅは第二アンテナ１０２を介して工程管理表示情報のデータを送信する（ステップＳ２０６）。工程管理表示情報とは、表示情報の一例であり、表示装置２０ｅに対応付けられている製造品４０の工程に関する情報を表示するための情報である。表示装置２０ｅの第二通信制御部２０４ｅは、工程管理表示情報を受信すると（ステップＳ３０５）、表示制御部２０５に出力する。表示制御部２０５は、工程管理表示情報に従って表示部２０６の表示を更新する（ステップＳ３０６）。
【００７９】
図１３及び図１４は、工程管理システム２００において表示装置２０ｅの表示部２０６に表示される画面の例を表す図である。図１３に示される画面は、第一の工程の作業が完了した時点における画面である。図１４に示される画面は、第二の工程の作業が完了した時点における画面である。
【００８０】
表示装置２０ｅの表示部２０６には、表示装置２０ｅに対応付けられている製造品４０の工程に関する情報が表示される。具体的には、例えば製造品４０の商品名６０１、ロット番号６０２、表示装置２０ｅに割り当てられている端末識別情報を表すバーコード６０３、最後に作業が行われた日時（最終作業日時）６０４、実施された作業の工程の情報（実施済工程情報）６０５、等が表示部２０６に表示される。最終作業日時の具体的な値は、上述した通りである。すなわち、例えば図１２のステップＳ２０２の処理が行われた日時でも良いし、ステップＳ２０３の処理が行われた日時でも良いし、ステップＳ１０１の処理が行われた日時でも良いし、工程管理システム２００において許容できる日時であればその他の日時であっても良い。バーコード６０３は、端末識別情報ではなく、表示装置２０ｅに記録されている工程管理情報を表しても良い。
【００８１】
ベルトコンベア３０に載せられた製造品４０が第一の工程の作業場に到達すると、作業場に配置されている作業者が製造品４０に対して第一の工程に係る作業を行う。第一の工程に係る作業が完了すると、作業者は、製造品４０に対応付けられている表示装置２０ｅと、第一の工程に関連づけられた送信装置１０ｅとを通信させる。この通信において、図１２に示されるような処理が行われる。この処理によって、管理サーバ５０には、ログとして第一の工程の工程識別情報と表示装置２０ｅの端末識別情報とが対応付けられて記録される。また、第一の工程の作業が完了したことを表す工程管理情報が、表示装置２０ｅの非表示情報記憶部２１２に記録される。また、第一の工程の作業が完了したことを表す実施済工程情報６０５を表示するための工程管理表示情報が、表示装置２０ｅの表示部２０６に表示される。例えば、図１３に示されるように、１〜１２の数字に対応付けられた矩形のうち、第一の工程を表す１の数字に対応付けられた矩形内に、その工程の作業が完了したことを表すチェックマークが表示される。また、工程管理表示情報には最終作業日時が含まれており、表示部２０６の最終作業日時の表示位置６０４には最終作業日時の値が表示される。
【００８２】
第一作業が完了すると、ベルトコンベア３０に再び載せられた製造品４０が第二の工程の作業場に到達する。第二の工程の作業場に配置されている作業者は、製造品４０に対して第二の工程に係る作業を行う。第二の工程に係る作業が完了すると、作業者は、製造品４０に対応付けられている表示装置２０ｅと、第二の工程に関連づけられた送信装置１０ｅとを通信させる。この通信において、図１２に示されるような処理が行われる。この処理によって、管理サーバ５０には、ログとして第二の工程の工程識別情報と表示装置２０ｅの端末識別情報とが対応付けられて記録される。また、第二の工程の作業が完了したことを表す工程管理情報が、表示装置２０ｅの非表示情報記憶部２１２に記録される。また、第二の工程の作業が完了したことを表す実施済工程情報６０５を表示するための工程管理表示情報が、表示装置２０ｅの表示部２０６に表示される。例えば、図１４に示されるように、１〜１２の数字に対応付けられた矩形のうち、第一の工程を表す１の数字に対応付けられた矩形内と、第二の工程を表す２の数字に対応付けられた矩形内の双方に、その工程の作業が完了したことを表すチェックマークが表示される。また、工程管理表示情報には最終作業日時が含まれており、表示部２０６の最終作業日時の表示位置６０４には、第二の工程に係る最終作業日時の値が表示される。
【００８３】
このように構成された工程管理システム２００では、表示装置２０ｅの表示部２０６における表示内容と、表示装置２０ｅの非表示情報記憶部２１２に記録されている工程管理情報の内容と、管理サーバ５０に記録されているログの内容との同期がとられる。そのため、いずれの情報を参照したとしても、製造品４０の工程について正確な情報を得ることが可能となる。例えば、作業者は表示部２０６に表示されている内容を視認することで工程について正確な情報を容易に得ることが可能である。ネットワークや直接の操作によって管理サーバ５０にアクセス可能な者は、ログを確認することによって工程について正確な情報を容易に得ることが可能である。非表示情報記憶部２１２に記録されている情報がバーコード６０３として表示されている場合には、バーコードリーダー等の装置を用いることによって、工程について正確な情報を容易に装置に入力することが可能となる。このように、工程管理システム２００では、様々な手段によって容易に工程について正確な情報を得ることが可能となる。
【００８４】
以上、この発明の実施形態について図面を参照して詳述してきたが、具体的な構成はこの実施形態に限られるものではなく、この発明の要旨を逸脱しない範囲の設計等も含まれる。
【符号の説明】
【００８５】
１００…表示システム，  ２００…工程管理システム，  １０…送信装置，  ２０…表示装置，  １０１…第一アンテナ，  １０２…第二アンテナ，  １０３…給電部，  １０４…表示情報生成部，  １０５…第一通信制御部，  １０６…第三通信制御部，  １０７…第一識別情報処理部，  １０８…第五アンテナ，  １０９…第一非表示情報処理部，  ２０１…第三アンテナ，  ２０２…第四アンテナ，  ２０３…電力供給部，  ２０４…第二通信制御部，  ２０５…表示制御部，  ２０６…表示部，  ２０７…表示データ記憶部，  ２０３１…蓄電部，  ２０８…第四通信制御部，  ２０９…第二識別情報処理部，  ２１０…第六アンテナ，  ２１１…第二非表示情報処理部，  ２１２…非表示情報記憶部，  ３０…ベルトコンベア，  ４０…製造品，  ５０…管理サーバ，  ６０１…商品名，  ６０２…ロット番号，  ６０３…バーコード，  ６０４…最終作業日時，  ６０５…実施済工程情報
【図１】
2013020059.tif 000003
【図２】
2013020059.tif 000004
【図３】
2013020059.tif 000005
【図４】
2013020059.tif 000006
【図５】
2013020059.tif 000007
【図６】
2013020059.tif 000008
【図７】
2013020059.tif 000009
【図８】
2013020059.tif 000010
【図９】
2013020059.tif 000011
【図１０】
2013020059.tif 000012
【図１１】
2013020059.tif 000013
【図１２】
2013020059.tif 000014
【図１３】
2013020059.tif 000015
【図１４】
2013020059.tif 000016